(57)【特許請求の範囲】
【請求項１】
ステータと、ロータと、前記ロータを軸支するブラケットからなるモータ部と、前記ロータの出力軸で回転するインペラと、前記インペラを覆うとともに上面に吸込口が形成されたケーシングからなるファン部と、前記モータ部内に配置されており、前記モータ部の電力制御を行う回路部と、を備え、前記回路部は、複数枚の基板によって構成されるとともに、前記モータ部の巻線につながる大電流の回路である電力系回路と、制御信号を扱う回路である信号系回路とが異なる基板に配置されており、前記電力系回路が実装された基板は、前記インペラから排出される気流の流路内の、前記ステータ及び前記ロータより前記吸込口側で、かつ、前記信号系回路が実装された基板より前記吸込口側に配置されている電動送風機。
【請求項２】
回路部をインペラ側のブラケットに固定した請求項１記載の電動送風機。
【請求項３】
モータ部の電力制御を行う回路部が、インバータ回路部である請求項１または２記載の電動送風機。
【請求項４】
ロータの位置検出を行う位置検出手段を、ロータに近い配置の基板に設けた請求項１〜３のいずれか１項に記載の電動送風機。
【請求項５】
回路部に温度検出手段を備えた請求項１〜４のいずれか１項に記載の電動送風機。
【請求項６】
モータ部のブラケットの少なくとも一部を導電性材料で形成した請求項１〜５のいずれか１項に記載の電動送風機。
【請求項７】
回路部の基板に貫通穴を設けた請求項１〜６のいずれか１項に記載の電動送風機。
【請求項８】
回路部の少なくとも１部の表面を樹脂でモールドした請求項１〜７のいずれか１項に記載の電動送風機。
【請求項９】
回路部の基板上のＧＮＤパターンを基板外周近傍に配した請求項１〜８のいずれか１項に記載の電動送風機。
【請求項１０】
回路部の基板上のＧＮＤパターンとモータ部筐体の導電部とを接続した請求項６〜９のいずれか１項に記載の電動送風機。
【請求項１１】
回路部の基板上とモータ部のブラケットの導電部を高インピーダンス素子、あるいは高インピーダンス樹脂で接続した請求項６〜１０のいずれか１項に記載の電動送風機。
【請求項１２】
外部信号に応じ回路部の信号系電源を遮断する電源断続手段を設けた請求項１〜１１のいずれか１項に記載の電動送風機。
【請求項１３】
塵埃を捕集する集塵室と、前記集塵室に連通するように接続される吸気部と、請求項１〜１２のいずれか１項記載の電動送風機とを備えた電気掃除機。
【請求項１４】
電動送風機を直流電源で駆動する請求項１３記載の電気掃除機。
【発明の詳細な説明】
【０００１】
【発明の属する技術分野】
本発明は、主に電気掃除機に使用される電動送風機に関するものであり、特に、電気掃除機本体の小型化を実現し、使用性の向上を図るものである。
【０００２】
【従来の技術】
近年、小型化を追求した電気掃除機が市場に導入されている。従来の電動送風機３、および回路部２１について、図７を用いて説明する。
【０００３】
図７に示すように、電動送風機３はモータ部２９とファン部２８から構成され、モータ部２９は、電機子巻線３９が施された電機子コア３８と、整流子４２がシャフト３７に具備されて構成されるロータ４５が、負荷側軸受３５と反負荷側軸受３６を介して、それぞれ負荷側ブラケット３３と反負荷側ブラケット３４に回転自在に備えられている。また、負荷側ブラケット３３と反負荷側ブラケット３４は結合されモータ部２９の筐体をなし、界磁コア４０に界磁巻線４１が施されるステータ４６と、カーボンブラシ（図示せず）が内部に備えられたホルダー４４とが反負荷側ブラケット３４に固定されている。
【０００４】
ファン部２８は、モータ部２９のシャフト３７に備えられたインペラ３１と、インペラ３１の外周部に配され、インペラ３１から流出する気流を徐々に圧力回復しながらモータ部２９の内部へ導く通風路を形成するエアガイド３２と、これらを覆うようにケーシング３０が備えられ、モータ部２９の負荷側ブラケット３３に一体的に取り付けられ構成されている。負荷側ブラケット３３の一部には、インペラ３１から流出した気流の一部をモータ部２９の内部を介さず排出するための冷却風排気口５１が設けられている。
【０００５】
また、電動送風機３に供給される電力を制御する回路部２１は、コードリール１４につながる電源線２２や、操作部１５からの操作信号を伝達する信号線２３などが接続された基板４７が、基板ケース２４に入れられ電動送風機３の反負荷側ブラケット３４に一部に締結手段５０によって備えられている。回路部２１の発熱部品であるトライアック（大電流を取り扱うスイッチング素子）などのパワーデバイス２５の放熱フィン２６は、電動送風機３のファン部２８の冷却風排気口５１を通過し排出される排気流が、基板ケース２４の冷却風流入口４８から冷却風流出口４９へ流れる通風路上に配されている。
【０００６】
このとき、電動送風機３の電力制御を行う回路部２１の発熱部品であるパワーデバイス２５の冷却は、電動送風機３の冷却風排気口５１を通過し排出される排気流によって行われる。
【０００７】
【発明が解決しようとする課題】
しかしながら、上記従来の構成においては、電動送風機３の電力を制御する回路部２１のパワーデバイス２５などを小型の放熱フィン２６で効率よく冷却するためには、上記従来例に示すように、ファン部２８を通過する気流の一部をモータ部２９へ流れる気流と、放熱フィン２６を冷却する気流に分離し、かつ、放熱フィン２６若しくは回路部２１をファン部２８の冷却風排気口５１後部に配置する構成とする必要がある。また、別の方法では、電動送風機３より前面の集塵室側の吸気通路内に、吸気通路のタイト性を確保しながら放熱フィン２６を配置するなどの手段などがあるが、いずれの手段に於いても、掃除機本体内での回路部２１の配置位置が制限されたり、回路部２１からパワーデバイス２５部分だけ分離し配置するなど、掃除本体内部の構成上の課題となり、掃除機本体を小型化するにあたり制限事項となっていた。
【０００８】
また、電気掃除機に用いられる電動送風機３のモータ部分２９は、従来大半がユニバーサルモータと一般的に呼ばれる整流子電動機であったが、最近では、高速化による小型、軽量化や、回転数制御のし易さ、省電力化、温度上昇の抑制などを目的に、例えば、ロータ４５に永久磁石を用いたブラシレスモータなどのような、回転磁界生成のために界磁巻線に供給される電力をインバータ制御したモータ、つまりインバータモータが用いられるようになってきた。インバータモータとよばれるモータの種類や駆動方式には多種多様あるが、いずれの方式にしても従来の整流子電動機を制御する方式と比べ、回路部２１のパワーデバイス２５の数はより増加し、これら複数個のパワーデバイス２５を効率よく冷却するためには、放熱フィン２６の面積を拡大するなど大型化につながり、掃除機本体の小型化を困難にする要因の一つとなっていた。
【０００９】
本発明は、以上のような従来の課題を解決しようとするものであって、電動送風機を制御する回路部のパワーデバイスを効率よく、かつ、省スペースで冷却することを可能にし、電気掃除機の小型・軽量化を図り、使用性の高い電気掃除機を提供することを目的としている。
【００１０】
【課題を解決するための手段】
上記目的を達成するために本発明は、ステータと、ロータと、前記ロータを軸支するブラケットからなるモータ部と、前記ロータの出力軸で回転するインペラと、前記インペラを覆うとともに上面に吸込口が形成されたケーシングからなるファン部と、前記モータ部内に配置されており、前記モータ部の電力制御を行う回路部と、を備え、前記回路部は、複数枚の基板によって構成されるとともに、前記モータ部の巻線につながる大電流の回路である電力系回路と、制御信号を扱う回路である信号系回路とが異なる基板に配置されており、前記電力系回路が実装された基板は、前記インペラから排出される気流の流路内の、前記ステータ及び前記ロータより前記吸込口側で、かつ、前記信号系回路が実装された基板より前記吸込口側に配置されている電動送風機としたもので、回路部の発熱部品を効率よく冷却し、かつ、回路部を小径化することができるので、電動送風機を小径・省スペースで構成でき、電気掃除機の小型・軽量化を図り、使用性の高い電気掃除機を提供することができる。
【００１１】
【発明の実施の形態】
本発明の請求項１記載の発明は、ステータと、ロータと、前記ロータを軸支するブラケットからなるモータ部と、前記ロータの出力軸で回転するインペラと、前記インペラを覆うとともに上面に吸込口が形成されたケーシングからなるファン部と、前記モータ部内に配置されており、前記モータ部の電力制御を行う回路部と、を備え、前記回路部は、複数枚の基板によって構成されるとともに、前記モータ部の巻線につながる大電流の回路である電力系回路と、制御信号を扱う回路である信号系回路とが異なる基板に配置されており、前記電力系回路が実装された基板は、前記インペラから排出される気流の流路内の、前記ステータ及び前記ロータより前記吸込口側で、かつ、前記信号系回路が実装された基板より前記吸込口側に配置されている電動送風機としたもので、回路部の発熱部品を効率よく冷却し、かつ、回路部を小径化することができるので、電動送風機を小径・省スペースで構成でき、電気掃除機の小型・軽量化を図り、使用性の高い電気掃除機を提供することができる。
【００１２】
本発明の請求項２記載の発明は、上記請求項１記載の発明において、回路部をインペラ側のブラケットに固定したもので、部品点数を増加させることなく、低コストでモータ部内にモータ部の電力制御を行う回路部を備えることができる。
【００１３】
本発明の請求項３記載の発明は、上記請求項１または２記載の発明において、モータ部の電力制御を行う回路部が、インバータ回路部であるもので、インバータ回路部の多数の発熱部品を省スペースで効率よく冷却し、インバータ回路部を小型化することができるので、インバータ制御の電動送風機とその回路部を小型化でき、小型の電動送風機を提供することができる。
【００１４】
本発明の請求項４記載の発明は、上記請求項１〜３記載のいずれか１項記載の発明において、ロータの位置検出を行う位置検出手段を、ロータに近い配置の基板に設けたもので、回路部を小型化できるので、電動送風機を省スペースで構成でき、小型の電動送風機を提供することができる。
【００１５】
本発明の請求項５記載の発明は、上記請求項１〜４記載のいずれか１項記載の発明において、回路部に温度検出手段を備えたもので、モータ部、あるいは回路部の発熱を敏感に検出することができるので、信頼性が高い小型の電動送風機を提供することができる。
【００１６】
本発明の請求項６記載の発明は、上記請求項１〜５記載のいずれか１項記載の発明において、モータ部のブラケットの少なくとも一部を導電性材料で形成したもので、回路部内で発生する電磁波を外部に対しシールドするので、他の機器に電磁波の影響を与えない小型の電気掃除機用電動送風機を提供することができる。
【００１７】
本発明の請求項７記載の発明は、上記請求項１〜６記載のいずれか１項記載の発明において、回路部の基板に貫通穴を設けたもので、貫通穴を通じモータ部の内側へ冷却風を導くことができるので、信頼性が高い小型の電動送風機を提供することができる。
【００１８】
本発明の請求項８記載の発明は、上記請求項１〜７記載のいずれか１項記載の発明において、回路部の少なくとも一部の表面を樹脂でモールドしたもので、インペラから排出される空気流に含まれる微細塵埃が基板上に蓄積しても電子部品や配線パターンに影響を及ぼさないので、故障がなく信頼性が高い小型の電動送風機を提供することができる。
【００１９】
本発明の請求項９記載の発明は、上記請求項１〜８記載のいずれか１項記載の発明において、回路部の基板上のＧＮＤパターンを基板外周近傍に配したもので、静電気に対し回路部が故障するのを抑制するので、故障がなく信頼性が高い小型の電動送風機を提供することができる。
【００２０】
本発明の請求項１０記載の発明は、上記請求項１〜９記載のいずれか１項記載の発明において、回路部の基板上のＧＮＤパターンとモータ部のブラケットの導電部とを接続するもので、静電気に対し回路部が故障するのを抑制するので、故障がなく信頼性が高い小型の電動送風機を提供することができる。
【００２１】
本発明の請求項１１記載の発明は、上記請求項１〜１０記載のいずれか１項記載の発明において、回路部の基板上とモータ部のブラケットの導電部を高インピーダンス素子、あるいは高インピーダンス樹脂で接続するもので、静電気に対し回路部が故障するのを抑制するので、故障がなく信頼性が高い小型の電動送風機を提供することができる。
【００２２】
本発明の請求項１２記載の発明は、上記請求項１〜１１記載のいずれか１項記載の発明において、外部信号に応じ前記回路部の信号系電源を遮断する電源断続手段を有するもので、停止時に電力を消費しないので、省電力で小型の電動送風機を提供することができる。
【００２３】
本発明の請求項１３記載の発明は、塵埃を捕集する集塵室と、前記集塵室に連通するように接続される吸気部と、請求項１〜１２のいずれか１項記載の電動送風機とを備えた構成を有するもので、小型で高信頼性の電動送風機を搭載するので、小型で使用性が向上した電気掃除機を提供することができる。
【００２４】
本発明の請求項１４記載の発明は、電動送風機を直流電源で駆動される請求項１３記載の電気掃除機で、バッテリーなどを電気掃除機に搭載しておけば、電動送風機を電源コードを介して商用電源に接続する必要もなく、使用性の高い電気掃除機を提供できるものである。
【００２５】
【実施例】
（実施例１）
以下に本発明の第１の実施例を、図１〜図５を用いて説明する。
【００２６】
図１に示すように、モータ部１２１内に前記モータ部１２１の電力制御を行う回路部１２２が配設され、前記モータ部１２１のシャフト１３７の出力側にファン部１２８が備えられ電動送風機１０３が構成される。
【００２７】
モータ部１２１は、導電材料である金属製の負荷側ブラケット１３３と反負荷側ブラケット１３４により筐体が形成されている。反負荷側ブラケット１３４は有底円筒形状をなし、負荷側ブラケット１３３は反負荷側ブラケット１３４の上部開口部の縁から内方に入り込む筒状のフランジを形成している。また、反負荷側ブラケット１３４内には、コア１４０とこのコア１４０に所望回数巻いた巻線１４１とからなるステータ１４６が固定され、またステータ１４６内を貫通して配されるロータ１４５には回転軸１３７が取り付けてあり、この回転軸１３７が負荷側ブラケット１３３の上部に設けた第１の軸受１３５と反負荷側ブラケット１３４の底部に設けた第２の軸受１３６により軸支されて、ロータ１４５が回転自在に軸支されている。
【００２８】
回路部１２２は、第１の基板１５１と第２の基板１５２から構成され、第１の基板１５１及び第２の基板１５２は、モータ部１２１の反負荷側ブラケット１３４のフランジ形状に略沿った円形で、内周部には第１の軸受１３５の外径形状に相対する中心孔１５３が設けられ、形状としてはドーナッツ形状をなしている。そして、第１の基板１５１と第２の基板１５２は上下方向に隙間をあけて配置され、第１の基板１５１の方が第２の基板１５２より負荷側ブラケット１３３側に位置するようにしている。第１の基板１５１と第２の基板１５２は、基板スペーサ１５４を介して重ねられ、負荷側ブラケット１３３のフランジから下方に突出する基板固定部１５５に基板固定ビス１５６によって保持され、モータ部１２１の金属製の筐体である負荷側ブラケット１３３と反負荷側ブラケット１３４によって覆われるよう配されている。
【００２９】
また、ファン部１２８はロータ１４５の回転軸１３７の上端部に取り付けたインペラ１３１と、インペラ１３１の外周部に配され、インペラ１３１から流出する気流を徐々に圧力回復しながらモータ部１２１の内部へ導く通風路を形成するエアガイド１３２と、これらを覆うように負荷側ブラケット１３３に取り付けたケーシング１２９が備えられ、ケーシング１２９の上面には吸込口１１９が形成され、また、負荷側ブラケット１３３にはエアガイド１３２からの気流をモータ部１２１内に導入する開口部１６７を複数設けている。
【００３０】
次に、モータ部１２１を制御する回路部１２２の構成について図２を用いて説明する。本実施例においては、特にモータ部１２１をインバータ駆動させる場合について説明する。回路部１２２は、電源からステータ１４６の巻線１４１各相につながり、半導体で構成されるスイッチング素子１２５を含む比較的大電流を扱う電力系回路１６１と、位置検出手段である位置検出素子１５２からの出力信号や、外部からの運転制御信号など主に小電流・信号を扱う信号系回路１６２の２種類に分類され、第１の基板１５１には主に前述の電力系回路１６１の構成部が実装され、また、第２の基板１５２には主に信号系回路１６２が実装される。
【００３１】
また、信号系回路１６２には、モータ部１２１のロータ１４５の位置検出を行う位置検出素子１５２や、モータ部１２１の巻線１４１の温度を検出する温度検出手段１５９、外部からの信号によって回路部１２２の制御ＩＣ１５７に供給される電流を任意に断続する電源断続手段１６８が設けられている。
【００３２】
第１の基板１５１、第２の基板１５２は図１あるいは図３に示すように、負荷側ブラケット１３３側から流入する気流をモータ部１２１内に導くための空気通路となる貫通穴１５８が所望数設けられるとともに、基板上に実装されている電子部品のリードを基板に取り付ける半田部など電気的接続部が表面に露出し、異物が付着すると動作不良などが予想される部分には、絶縁性を有するモールド樹脂１６０などによるコーティングが施されている。
【００３３】
また、図２に示すインバータモータの回路構成上で、電源のＧＮＤに接続される部分の基板上のＧＮＤパターン１６５は、それぞれの基板の外周に沿って配置され、また、図４に示すように、このＧＮＤパターン１６５の一部を基板固定ビス１５６を介し金属製の負荷側ブラケット１３３または反負荷側ブラケット１３４に短絡させるよう固定用ビス穴１６０部のパターンは、基板固定ビス１５６と電気的にも接続されるように施されている。
【００３４】
また、図５の回路構成図に示すように、電源のＧＮＤに接続される部分と、金属製の負荷側ブラケット１３３あるいは反負荷側ブラケット１３４を、高インピーダンス素子１６６または高インピーダンス樹脂によって接続し、金属製の負荷側ブラケット１３３あるいは反負荷側ブラケット１３４に蓄積される静電気などが電源へ放出されるようになっている。
【００３５】
上記構成による作用は以下の通りである。
【００３６】
電動送風機１０３が回転すると、インペラ１３１が回転し吸引力が発生し、ケーシング１３０の吸込口１１９から空気がインペラ１３１に流入し、インペラ１３１外周より排出される。インペラ１３１外周より排出された気流は、モータ部１２１の負荷側ブラケット１３３上面に達し、負荷側ブラケット１３３の開口部１６７を通り、回路部１２２の第１の基板１５１、および第２の基板１５２へ導かれる。
【００３７】
回路部１２２を第１の基板１５１と第２の基板１５２に分割し、重ね合わせて設け、一枚あたりの回路基板面積をモータ部１２１の反負荷側ブラケット１３４の内面に収まるようにできるので、回路部１２２の径方向の面積を抑制することができ、電動送風機１０３を省スペースで構成できる。
【００３８】
また、電力系回路１６１と信号系回路１６２を分離し実装することで、電力系回路１６１で発生するノイズに対し、信号系回路１６２が影響を受けるのを抑制できる。
【００３９】
さらに、分割され負荷側ブラケット１３３近傍に配置される第１の基板１５１には、電力系回路１６１の電子部品など発熱の大きな部品が実装され、これら電子部品は負荷側ブラケット１３３を放熱フィンとして利用し、この負荷側ブラケット１３３はインペラ１３１から放出される空気流が大量に、かつ、高速に通過するので効率よく放熱される。つまり、図３に示すように、第１の基板１５１に電力系回路１６１の発熱の大きな部品、すなわちスイッチング素子１２５を配し、このスイッチング素子１２５を負荷側ブラケット１３３の開口部１６７内に入り込むようにし、そして、その開口部１６７の内面に当接させることで、負荷側ブラケット１３３を放熱フィンとして利用しているのである。この場合、負荷側ブラケット１３３を熱伝達性のよい金属製としておくことが好ましい。
【００４０】
また、ロータ１４５の位置検出素子１５２を第２の基板１５２に設けるので、小電流または信号を扱う信号系回路１６２部を集約することができ、回路部１２２の省スペース化を実現できるものである。さらに、温度検出素子１５６も第２の基板１５２に設けることで、モータ部１２１の巻線１４１近傍に温度検出素子１５６を備えることができ、巻線１４１の温度を敏感に精度よく検出し、インバータのモータ部１２１の保護制御に対し非常に有効になる。
【００４１】
また、回路部１２２を金属の負荷側ブラケット１３３と反負荷側ブラケット１３４によって覆われる位置に配することで、インバータにモータ部１２１の制御時に回路部１２２から発生するノイズによって、外部の機器に悪影響を及ぼすのをシールド効果によって抑制できるものである。
【００４２】
そして、第１の基板１５１、第２の基板１５２に基板表裏を貫通する貫通穴１５８を複数設けているので、インペラ１３１外周より排出された空気流は負荷側ブラケット１３３上面に達し、それから、この貫通穴１５８を介してモータ部１２１の内部まで流入するので、モータ部１２１の巻線１４１などの冷却も効率よく行えるものである。
【００４３】
また、回路部１２２の部品実装面において、塵埃の付着する可能性があり、また、塵埃付着によって支障をきたす部分には、モールド樹脂１６０などを表面に塗布もしくは被覆することで、塵埃に対しての信頼性向上が図れる。
【００４４】
そして、回路部２２のＧＮＤパターン１６５を基板の外周に沿って設けるので、金属ブラケットからの静電気に対しＧＮＤへ流れやすくするため回路の破壊が抑制できるものである。なお、ＧＮＤパターン１６５と金属製の負荷側ブラケット１３３あるいは反負荷側ブラケット１３４とを短絡、あるいは、高インピーダンス素子１６６あるいは高インピーダンス樹脂を介して短絡することで、より一層、静電気に対して耐力が向上するものである。但し、本実施例においては、負荷側ブラケット１３３と反負荷側ブラケット１３４も導電性材料である金属にて形成しているが、上記負荷側ブラケット１３３と反負荷側ブラケット１３４の少なくともどちらか一方が導電性材料から形成されていて、導電性材料から形成されているブラケットとＧＮＤパターン１６５とを短絡、あるいは、高インピーダンス素子１６６あるいは高インピーダンス樹脂を介して短絡されていれば上記述べた内容と同様の効果を発するものである。
【００４５】
また、掃除機本体１０２が停止しているモードなどを示す信号が、回路部１２２に入力された場合、インバータのモータ部１２１の回路部１２２に通電される電源を遮断する断続手段１６８を設けているので、消費電力の低減が図れ、省エネを実現できるものである。
【００４６】
（実施例２）
以下に本発明の第２の実施例を図６により説明する。なお従来例と同一構成部分については、同一符号を付して、その説明を省略する。
【００４７】
電気掃除機１０１の本体１０２は、前部に塵埃を捕集する集塵室１０４を、後部に上記実施例で示した電動送風機１０３とを配している。本体１０２の集塵室１０４前部には、ホース１０５、延長管１０６、吸込具１０７が接続される。
【００４８】
上記構成による作用は以下の通りである。
【００４９】
上記実施例からも明らかなように、本発明の電動送風機１０３は小型で、信頼性が高い電動送風機１０３であり、従って小型で使用性の高い電気掃除機１０１が実現できる。さらに、前記電動送風機１０３は図２または図５で示すスイッチング素子１２５への電源を直流電源とすることで駆動することができ、前記電気掃除機１０１の使用時、電動送風機１０３に電源コードを介して商用電源を接続する必要もなく、コードレスの電気掃除機を実現することができる。この場合、本体１０２には直流電源となるバッテリーを搭載する必要があり、充電可能なバッテリーもしくは燃料電池を利用することが好ましい。
【００５０】
【発明の効果】
本発明の請求項１記載の発明によれば、ステータと、ロータと、前記ロータを軸支するブラケットからなるモータ部と、前記ロータの出力軸で回転するインペラと、前記インペラを覆うとともに上面に吸込口が形成されたケーシングからなるファン部と、前記モータ部内に配置されており、前記モータ部の電力制御を行う回路部と、を備え、前記回路部は、複数枚の基板によって構成されるとともに、前記モータ部の巻線につながる大電流の回路である電力系回路と、制御信号を扱う回路である信号系回路とが異なる基板に配置されており、前記電力系回路が実装された基板は、前記インペラから排出される気流の流路内の、前記ステータ及び前記ロータより前記吸込口側で、かつ、前記信号系回路が実装された基板より前記吸込口側に配置されている電動送風機としたもので、回路部の発熱部品を効率よく冷却し、かつ、回路部を小径化することができるので、電動送風機を小型・省スペースを実現できる。
【００５１】
本発明の請求項２記載の発明によれば、上記請求項１記載の発明において、回路部をインペラ側のブラケットに固定したもので、部品点数を増加させることなく、低コストでモータ部内にモータ部の電力制御を行う回路部を備えることができる。
【００５２】
本発明の請求項３記載の発明によれば、上記請求項１または２記載の発明において、モータ部の電力制御を行う回路部が、インバータ回路部であるもので、インバータ回路部の多数の発熱部品を省スペースで効率よく冷却し、インバータ回路部を小型化することができるので、インバータ制御の電動送風機とその回路部を小型化でき、小型の電動送風機を提供することができる。
【００５３】
本発明の請求項４記載の発明によれば、上記請求項１〜３記載のいずれか１項記載の発明において、ロータの位置検出を行う位置検出手段を、ロータに近い配置の基板に設けたもので、回路部を小型化できるので、電動送風機を省スペースで構成でき、小型の電動送風機を提供することができる。
【００５４】
本発明の請求項５記載の発明によれば、上記請求項１〜４記載のいずれか１項記載の発明において、回路部に温度検出手段を備えたもので、モータ部、あるいは回路部の発熱敏感に検出することができるので、信頼性が高い小型の電動送風機を提供することができる。
【００５５】
本発明の請求項６記載の発明によれば、上記請求項１〜５記載のいずれか１項記載の発明において、モータ部のブラケットの少なくとも一部を導電性材料で形成したもので、回路部内で発生する電磁波を外部に対しシールドするので、他の機器に電磁波の影響を与えない小型の電動送風機を提供することができる。
【００５６】
本発明の請求項７記載の発明によれば、上記請求項１〜６記載のいずれか１項記載の発明において、基板に貫通穴を設けたもので、貫通穴を通じモータ部の内側へ冷却風を導くことができるので、信頼性が高い小型の電動送風機を提供することができる。
【００５７】
本発明の請求項８記載の発明によれば、上記請求項１〜７記載のいずれか１項記載の発明において、回路部の少なくとも１部の表面を樹脂でモールドしたもので、インペラから排出される空気流に含まれる微細塵埃が基板上に蓄積しても電子部品や配線パターンに影響を及ぼさないので、故障がなく信頼性が高い小型の電動送風機を提供することができる。
【００５８】
本発明の請求項９記載の発明によれば、上記請求項１〜８記載のいずれか１項記載の発明において、回路部の基板上のＧＮＤパターンを基板外周近傍に配したもので、静電気に対し回路部が故障するのを抑制するので、故障がなく信頼性が高い小型の電動送風機を提供することができる。
【００５９】
本発明の請求項１０記載の発明によれば、上記請求項６〜９記載のいずれか１項記載の発明において、回路部の基板上のＧＮＤパターンとモータ部のブラケットの導電部とを接続するもので、静電気に対し回路部が故障するのを抑制するので、故障がなく信頼性が高い小型の電動送風機を提供することができる。
【００６０】
本発明の請求項１１記載の発明によれば、上記請求項６〜１０記載のいずれか１項記載の発明において、回路部の基板上とモータ部のブラケットの導電部を高インピーダンス素子、あるいは高インピーダンス樹脂で接続するもので、静電気に対し回路部が故障するのを抑制するので、故障がなく信頼性が高い小型の電動送風機を提供することができる。
【００６１】
本発明の請求項１２記載の発明によれば、上記請求項１〜１１記載のいずれか１項記載の発明において、外部信号に応じ前記回路部の信号系電源を遮断する電源断続手段を有するもので、停止時に電力を消費しないので、省電力で小型の電動送風機を提供することができる。
【００６２】
本発明の請求項１３記載の発明によれば、塵埃を捕集する集塵室と、前記集塵室に連通するように接続される吸気部と、請求項１〜１２のいずれか１項記載の電動送風機とを備えた構成を有するもので、小型で高信頼性の電動送風機を搭載するので、小型で使用性が向上した電気掃除機を提供することができる。
【００６３】
本発明の請求項１４記載の発明によれば、直流電源で駆動される請求項１３記載の電気掃除機で、使用時、電源コードを商用電源に接続する必要もなく、使用性の高い電気掃除機を提供できるものである。
【図面の簡単な説明】
【図１】  本発明の第１の実施例を示す電動送風機の断面図
【図２】  同電動送風機の回路ブロック図
【図３】  同電動送風機の要部分解斜視図
【図４】  同基板の平面図
【図５】  同電動送風機の他の例の回路ブロック図
【図６】  本発明の第２の実施例を示す電気掃除機の断面図
【図７】  従来の電動送風機の一部破断側面図
【符号の説明】
１０３  電動送風機
１０４  集塵室
１２１  モータ部
１２２  回路部
１２８  ファン部
１２９  ケーシング
１３１  インペラ
１３３  負荷側ブラケット
１３４  反負荷側ブラケット
１４５  ロータ
１４６  ステータ
１５２  位置検出素子
１５５  位置検出信号線
１５１  第１の基板
１５２  第２の基板
１５８  貫通穴
１５９  温度検出素子
１６０  モールド樹脂
１６１  電力系回路
１６２  信号系回路
１６５  ＧＮＤパターン
１６６  高インピーダンス素子
１６８  断続手段
【図１】
0004631136.tif 000002
【図２】
0004631136.tif 000003
【図３】
0004631136.tif 000004
【図４】
0004631136.tif 000005
【図５】
0004631136.tif 000006
【図６】
0004631136.tif 000007
【図７】
0004631136.tif 000008